(57)【要約】【課題】登録データの編集中に着信があった場合でも、通信後に編集・登録処理を続行することができる携帯電話機を提供する。【解決手段】メモリ制御手段１８が、着信があったときに、編集手段１７による編集途中のデータがある場合には当該データをメモリ１１に記憶して通信手段１３が通信処理を行い、通信処理が終了したときに、データをメモリ１１から編集手段１７に受け渡して、当該データを表示画面４に再度表示させるとともに当該データの編集続行を可能にする、或いは、メモリ１１に編集途中のデータが記憶されていることを表示画面４に表示する。【選択図】　図２
2004072751.tif 000002
【特許請求の範囲】
【請求項１】
使用者の編集操作によって入力された文字や数字等から成るデータを不揮発性メモリに記憶保持し、当該データを表示画面に表示可能な携帯電話機であって、
使用者からの入力に応じて文字や数字等を表示画面に表示しながらデータの編集を行う編集手段と、
データの編集中に着信があった場合には、当該編集中のデータを不揮発性メモリに記憶して通信処理を行い、当該通信処理が終了すると、当該記憶した編集中のデータを表示画面に再度表示させ、使用者から前記編集したデータの登録指示があったときには当該データを不揮発性メモリへ記憶するメモリ制御手段と、を備え、
前記編集手段は、前記メモリ制御手段により前記記憶した編集中のデータが表示画面に再度表示された時に、使用者からの入力に応じた編集処理の続行を可能にする、
ことを特徴とする携帯電話機。
【請求項２】
使用者の編集操作によって入力された文字や数字等から成る編集中のデータを記憶する揮発性メモリと、前記編集したデータを使用者の登録指示により記憶する不揮発性メモリとを備え、当該データを表示画面に表示可能な携帯電話機であって、
使用者からの入力に応じて文字や数字等を表示画面に表示しながらデータの編集を行う編集手段と、
データの編集中に着信があった場合には、当該編集中のデータを揮発性メモリに記憶して通信処理を行い、当該通信処理が終了すると、当該揮発性メモリに記憶した編集中のデータを表示画面に再度表示させ、使用者から前記編集したデータの登録指示があったときには当該データを不揮発性メモリへ記憶するメモリ制御手段と、を備え、
前記編集手段は、前記メモリ制御手段により前記記憶した編集中のデータが表示画面に再度表示された時に、使用者からの入力に応じた編集処理の続行を可能にする、
ことを特徴とする携帯電話機。
【発明の詳細な説明】
【０００１】
【発明の属する技術分野】
本発明は、使用者によるキー操作で入力された電話番号等の登録データを内蔵メモリに記憶し、必要に応じて当該登録データを表示画面に表示可能な電話帳或いはメモ帳等と称せられる機能を有した携帯電話機に関する。
【０００２】
【従来の技術】
図１に示すように、携帯電話機１には、数字ボタンキー２、機能ボタンキー３、ＬＣＤ等から成る表示画面４が備えられており、使用者がボタンキー操作により入力した文字や数字等から成る登録データを内蔵メモリに記憶し、当該登録データを使用者によるボタンキー操作で呼び出して表示画面４に表示させる機能が備えられている。
【０００３】
すなわち、携帯電話機１には、使用者のボタンキー操作によって文字や数字等から成るデータを作成する編集機能と、作成された電話番号やメモ等の登録データを内蔵メモリに記憶保持し、使用者による呼び出し操作でメモリに保持した登録データを表示画面４に表示させる機能が備えられている。
なお、図１において、５は無線電波を送受信するアンテナ、６はスピーカからなる受話部、７はマイクからなる送話部である。
【０００４】
【発明が解決しようとする課題】
しかしながら、従来の携帯電話機にあっては、登録データの編集操作中に着信があると、編集中のデータが破棄されてしまっていた。
このため、着信に基づく通話が終了した後に、使用者は編集処理を再度初めからやり直さなければならず、使い勝手が悪いという課題があった。
【０００５】
本発明は、上記従来の事情に鑑みなされたもので、登録データの編集中に着信があった場合でも、当該編集・登録処理を続行することができる携帯電話機を提供することを目的とする。
【０００６】
【課題を解決するための手段】
本発明に係る携帯電話機では、メモリ制御手段が、着信があったときに編集中データの有無を確認し、編集手段による編集途中のデータがある場合には当該データをメモリに記憶して通信処理を行い、当該通信処理が終了したときに前記記憶したデータを編集手段に受け渡して、当該データを表示画面に再度表示させるとともに当該データの編集続行を可能にする。
したがって、着信に基づく通話が終了した後に、使用者は途中まで編集した登録データを続行して編集することができる。
【０００７】
また、本発明に係る携帯電話機では、メモリ制御手段が、着信があったときに編集中データの有無を確認し、編集手段による編集途中のデータがある場合には当該データをメモリに記憶して通信処理を行い、当該通信処理が終了したときに前記記憶したデータの存在を示す情報を表示画面に表示させ、必要に応じて編集手段により当該データの編集続行を可能にする。
したがって、着信に基づく通話が終了した後に、使用者は途中まで編集した登録データをメモリから呼び出して表示画面に表示させ、当該データを続行して編集することができる。
【０００８】
一構成例として、使用者の編集操作によって入力された文字や数字等から成る登録データをメモリに記憶保持し、当該登録データを表示画面に表示可能な携帯電話機において、使用者によって入力された文字や数字等を表示画面に表示しながら登録データの編集を行う編集手段と、着信時に編集中データの有無を確認し、編集途中のデータがある場合には当該データをメモリに記憶して通信処理を行い、当該通信処理が終了したときに前記記憶したデータを編集手段に受け渡して、当該データを表示画面に再度表示させるとともに当該データの編集続行を可能にするメモリ制御手段と、を備えたことを特徴とする。
【０００９】
他の一構成例として、使用者の編集操作によって入力された文字や数字等から成る登録データをメモリに記憶保持し、当該登録データを表示画面に表示出力可能な携帯電話機において、使用者によって入力された文字や数字等を表示画面に表示しながら登録データの編集を行う編集手段と、着信時に編集中データの有無を確認し、編集途中のデータがある場合には当該データをメモリに記憶して通信処理を行い、当該通信処理が終了したときに前記記憶したデータの存在を示す情報を表示画面に表示させるメモリ制御手段と、を備えたことを特徴とする。
【００１０】
【発明の実施の形態】
本発明を、図に示す一実施形態を用いて具体的に説明する。
図２には、本発明の実施形態に係る携帯電話機の内部構造の一例を示してある。なお、下記の実施形態においても携帯電話機の外部構成は従来と同じであるので図１を適宜参照し、同一部分には同一符号を付して示す。
【００１１】
携帯電話機は、番号や機能等のキーボタン２、３からの入力を受け付けるキー入力手段１０と、キーボタン操作によって入力されたデータを記憶保持するメモリ１１と、メモリ１１に記憶されたデータを表示画面４に表示出力する表示手段１２と、音声或いは数字や文字等から成るデータをアンテナ５を介して無線通信する通信手段１２と、携帯電話機に備えられた各機能手段を統括制御する制御手段１４とを備えている。
なお、図２において、１５はスピーカ６から受信音声を出力させる音声出力手段、１６はマイク１６からの音声を取り込む音声入力手段である。
【００１２】
制御手段１４を始めとした携帯電話機の主な機能手段はプロセッサ（ＣＰＵ）が所定の機能プログラムを実行することにより構成されており、特に本発明に係る機能として、キー入力手段１０から入力された文字や数字等を表示画面４に表示しながら登録データの編集を行う編集手段１７と、着信時に編集途中のデータがある場合には当該データをメモリに記憶して通信処理を行い、通信処理が終了したときに当該記憶データの編集続行を可能にするメモリ制御手段１８とが構成されている。
なお、メモリ制御手段１８による機能は下記の第１実施形態と第２実施形態とでは若干異なっており、これについては後述する。
【００１３】
また、メモリ１１はＥＥＰＲＯＭ等のように電源を切ってもデータを記憶保持する読み書き自在な不揮発性メモリであり、携帯電話機の機能上必要なデータや電話帳等の登録データと共に、後述するように、編集途中のデータも記憶保持する。
なお、携帯電話機の使用状況によっては、編集途中のデータは携帯電話機の主電源を切るまでの間記憶保持すれば足りるため、編集途中のデータを記憶保持する記憶領域部分はＲＡＭ等の読み書き自在な揮発性メモリによって構成することも可能である。
【００１４】
図３には本実施形態に係る携帯電話機の編集処理手順を示し、図４には特に第１実施形態に係る着信処理手順を示してある。
なお、これら処理手順は主に制御手段１４により実行され、第１実施形態の着信処理（図４）は着信に基づいて編集処理（図３）の途中に随時割り込み、この着信処理が終了したところで、編集処理の先頭に復帰して当該処理手順を続行する。
【００１５】
まず、使用者が機能キーボタン３を操作して編集処理を開始すると、メモリ制御手段１８が、メモリ１１に編集途中のデータが存在するか否かを確認し（ステップＳ１）、編集途中で記憶保護されたデータ（保護データ）がある場合には、当該保護データをメモリから読み出して表示画面４に表示させる（ステップＳ２）。
そして、使用者による機能キーボタン３の操作で、表示された保護データの破棄が指示されたときには、メモリ制御手段１８が当該保護データの表示を消去するとともにメモリ１１から削除して、編集手段１７による編集処理（ステップＳ５）に移行する。一方、使用者によって表示された保護データの編集続行が指示されたときには、メモリ制御手段１８が当該保護データを編集手段１７へ受け渡して編集処理（ステップＳ５）に移行する。
【００１６】
編集処理（ステップＳ５）では、編集手段１７がメモリ１１を用いて、使用者のボタンキー操作で入力された文字や数字等を表示画面４に表示しながら登録データの編集を行い、使用者のボタンキー操作で編集したデータの登録指示があったときには（ステップＳ６）、編集されたデータをメモリ１１に登録データとして記憶保持して（ステップＳ７）、編集処理を終了する。
一方、編集したデータの破棄指示があったときには（ステップＳ６）、編集したデータをメモリ１１に記憶保持することなく破棄して（ステップＳ８）、編集処理を終了する。
【００１７】
上記のような一連の処理の途中に、アンテナ５を介して通信手段１３に着信があると、図４に示す着信処理が通信手段１３とメモリ制御手段１８により割り込み実行される。
まず、メモリ制御手段１８が編集手段１７による編集処理がなされているかを判断し（ステップＳ１１）、編集中であるときには、その編集中のデータをメモリ１１に保護データとして記憶する（ステップＳ１２）。すなわち、上記の編集処理（ステップＳ２、Ｓ３、Ｓ５）において編集続行できるように、編集途中のデータをメモリに記憶保護する。
【００１８】
そして、編集途中でないとき及び上記の保護記憶（ステップＳ１２）が終了したときには、通信手段１３が着信に基づいた通信処理を行い（ステップＳ１３）、当該通信処理が終了したところで、編集処理の先頭ステップ（ステップＳ１）に復帰する。
したがって、編集中の着信があった場合には、着信に基づく通話やメッセージ受信等の通信処理が終了したところで、編集途中であった登録データ（保護データ）を表示画面４に自動的に再表示して（ステップＳ２）、当該データの編集を使用者に続行させることができる。
【００１９】
上記の第１実施形態に係る着信処理手順では保護データを自動的に表示画面４に表示するようにしたが、第２実施形態係る着信処理手順では保護データの存在を表示画面４に表示して、使用者の選択で編集を続行できるようにしている。
すなわち、第２実施形態では、図５に示すような手順の着信処理を行い、当該着信処理を着信に基づいて編集処理（図３）の途中に随時割り込み実行し、着信処理が終了したところで、途中であった編集処理も一旦終了させ、使用者の選択指示により編集処理が行われたときに、保護データの編集続行ができるようにしている。
【００２０】
すなわち、アンテナ５を介して通信手段１３に着信があると、メモリ制御手段１８が編集手段１７による編集処理（図３）がなされているかを判断し（ステップＳ２１）、編集中であるときには編集手段１７による編集処理を中止して、その編集中のデータをメモリ１１に保護データとして記憶する（ステップＳ２２）。すなわち、後に使用者による選択指示で編集処理が行われたときに、上記の編集処理（ステップＳ２、Ｓ３、Ｓ５）において編集続行できるように、編集途中のデータをメモリに記憶保護する。
【００２１】
そして、編集途中でないとき及び上記の保護記憶（ステップＳ２２）が終了したときには、通信手段１３が着信に基づいた通信処理を行い（ステップＳ２３）、当該通信処理が終了したところで、メモリ制御手段１８が「データあり」等のメッセージや所定のマークを表示画面４に表示して、着信処理を終了する。
したがって、編集中の着信があった場合には、編集途中のデータはメモリ１１に記憶保護され、当該データが保護されていることが表示画面４に表示される。そして、着信に基づく通話やメッセージ受信等の通信処理が終了したところで、使用者が編集処理を選択すると、編集途中であった登録データ（保護データ）を表示画面４に表示して（ステップＳ２）、当該データの編集を続行することができる。
【００２２】
なお、本発明は、電話帳やメモの編集データのみならず、携帯電話機に設けられたメール機能による送信メールやアラーム機能によるアラームメッセージ等の編集データについても、着信時の保護記憶を行うこともできる。
【００２３】
【発明の効果】
以上説明したように、本発明に係る携帯電話機によると、着信があった場合に編集中のデータをメモリに記憶保護し、当該保護データを着信による通信終了後に編集続行できるようにしたため、電話帳データ等の編集操作を着信により中断されたとしても、当該データを途中から続行して編集することができ、携帯電話機のデータ編集機能を使い勝手を極めて高めることができる。
【図面の簡単な説明】
【図１】携帯電話機の外観を示す正面図である。
【図２】本発明の一実施形態に係る携帯電話機の内部構成図である。
【図３】本発明の一実施形態に係る編集処理の手順を示すフローチャートである。
【図４】本発明の第１実施形態に係る着信処理の手順を示すフローチャートである。
【図５】本発明の第２実施形態に係る着信処理の手順を示すフローチャートである。
【符号の説明】
１：携帯電話機、　２：番号ボタンキー、
３：機能ボタンキー、　４：表示画面、
１１：メモリ、　１３：通信手段、
１４：制御手段、　１７：編集手段、
１８：メモリ制御手段、
【図１】
2004072751.tif 000003
【図２】
2004072751.tif 000004
【図３】
2004072751.tif 000005
【図４】
2004072751.tif 000006
【図５】
2004072751.tif 000007